(57)【要約】【課題】貸しロッカー装置において、ロッカーユニット１０の使用中を表示を簡単な構成で確認しやすくする。【解決手段】ロッカーユニットのロッカー扉２の自由端Ａ側に把手部３を取り付ける。把手部３を固定金具３１と光拡散部材３２で構成し、固定金具３１のカバー板３１ａと取っ手板３１ｂの間に光拡散部材３２を嵌合固定する。光拡散部材３２の拡散板３２ｂの周囲を取っ手板３１ｂの周囲から露出させる。ロッカーユニットの框部１ｂの前面にＬＥＤランプ６を配設する。カバー板３１ａのＬＥＤランプ６に対応する位置に透孔３１ａ２を形成する。ＬＥＤランプ６の光を光拡散部材３２の拡散板３２ａに照射する。拡散板３２ａを発光させる。カバー板３１ａの裏面に施錠ブック２ａを配置し、錠装置５０との係合部をカバー板３１ａで覆う。【選択図】図１
2009155933.tif 000002
【特許請求の範囲】
【請求項１】
ロッカーボックスと該ロッカーボックスにヒンジ部により開閉可能に取り付けられたロッカー扉とを有する複数のロッカーユニットを備え、前記ロッカー扉の閉状態で前記ヒンジ部と反対側の自由端が前記ロッカーボックスの框部の内側に収納可能となるように、該ロッカー扉と前記ロッカーユニットた構成されたロッカー装置において、
前記ロッカーボックスの前記框部に光源が設けられるとともに、前記ロッカー扉の前記自由端に該ロッカー扉の閉状態で前記光源に対向する把手部が設けられ、
該把手部に前記光源からの光を拡散する光拡散部材を備えたことを特徴とするロッカー装置。
【請求項２】
前記把手部は、前記框部の前面部に対向するとともに前記光源に対応する位置に透孔が形成されたカバー板と、該カバー板と一体に形成され該カバー板の縁から前面側に突出する水平断面の形状がＬ字状の取っ手板とを有し、前記光拡散部材が該カバー板と取っ手板との間に配設されていることを特徴とする請求項１に記載のロッカー装置。
【請求項３】
前記カバー板の裏側に、前記框部に設けられた錠装置と係合する施錠フックを配置したことを特徴とする請求項２に記載のロッカー装置。
【発明の詳細な説明】
【技術分野】
【０００１】
本発明は、例えば駅構内等に設置され、複数の利用者にロッカーボックスを利用可能とした貸しロッカー等のロッカー装置に関する。
【背景技術】
【０００２】
従来、この種のロッカー装置として、例えば実公平７−２４７２７号公報（特許文献１）、実用新案登録第２５７２２２８号公報（特許文献２）、特開２００７−１０２２７３号公報（特許文献３）に開示されたものがある。この種のロッカー装置では、ロッカーボックスが使用中であることを示すために、ロッカー扉の自由端側に表示ランプを備えている。
【特許文献１】実公平７−２４７２７号公報
【特許文献２】実用新案登録第２５７２２２８号公報
【特許文献３】特開２００７−１０２２７３号公報
【発明の開示】
【発明が解決しようとする課題】
【０００３】
しかしながら、従来のロッカー装置では表示ランプがＬＥＤランプであったり、小さなレンズであり、表示が見づらいという改良の余地を残している。また、従来のコインロッカーに表示ランプを付けて超すと低減を図る場合には、改良に適した簡単な構造のものが好ましい。
【０００４】
本発明は、ロッカー装置において、簡単な構造で使用中であることを示す表示を見やすくすることを課題とする。
【課題を解決するための手段】
【０００５】
請求項１のロッカー装置は、ロッカーボックスと該ロッカーボックスにヒンジ部により開閉可能に取り付けられたロッカー扉とを有する複数のロッカーユニットを備え、前記ロッカー扉の閉状態で前記ヒンジ部と反対側の自由端が前記ロッカーボックスの框部の内側に収納可能となるように、該ロッカー扉と前記ロッカーユニットた構成されたロッカー装置において、前記ロッカーボックスの前記框部に光源が設けられるとともに、前記ロッカー扉の前記自由端に該ロッカー扉の閉状態で前記光源に対向する把手部が設けられ、該把手部に前記光源からの光を拡散する光拡散部材を備えたことを特徴とする。
【０００６】
請求項２のロッカー装置は、請求項１に記載のロッカー装置であって、前記把手部は、前記框部の前面部に対向するとともに前記光源に対応する位置に透孔が形成されたカバー板と、該カバー板と一体に形成され該カバー板の縁から前面側に突出する水平断面の形状がＬ字状の取っ手板とを有し、前記光拡散部材が該カバー板と取っ手板との間に配設されていることを特徴とする。
【０００７】
請求項３のロッカー装置は、請求項２に記載のロッカー装置であって、前記カバー板の裏側に、前記框部に設けられた錠装置と係合する施錠フックを配置したことを特徴とする。
【発明の効果】
【０００８】
請求項１のロッカー装置によれば、框部の光源からの光が把手部の光拡散部材で拡散されるので、ランプ等より大きな取っ手の部分が発行するので、使用中であることが見やすくなる。また、框部の光源と把手部の光拡散部材で構成され、簡単な構造とすることができる。
【０００９】
請求項２のロッカー装置によれば、請求項１の効果に加えて、カバー板と取っ手板とにより光拡散部材を堅牢に保持することができる。
【００１０】
請求項３のロッカー装置によれば、請求項２の効果に加えて、次のような効果が得られる。框部には錠装置が設けられ、ロッカー扉の施錠フックが錠装置と係合できるように、框部には切り欠き部が形成されているが、この切り欠き部が把手部のカバー板で覆い隠されるので、防犯性やデザイン性に優れている。
【発明を実施するための最良の形態】
【００１１】
次に、本発明のロッカー装置の実施形態を図面を参照して説明する。図６は本発明の第２実施形態に係る貸しロッカー装置の外観正面図である。この貸しロッカー装置は集中制御装置２０を有し、その両側及び下側にそれぞれ複数のロッカーユニット１０を配置したものである。集中制御装置２０の前面には、利用者に情報を表示するＬＣＤ表示器の表示画面２０ａ、プリンタからレシートを排出するためのレシート出口２０ｂ及び非接触ＩＣカードで操作入力するための操作部２０ｃが配設されている。
【００１２】
ロッカーユニット１０は、ロッカーボックス１とロッカー扉２を有し、ロッカー扉２は、ロッカーボックス１に対してヒンジ部１ａにより開閉自在に取り付けられている。そして、ロッカー扉２のヒンジ部１ａと反対側の自由端Ａの近傍には、後述説明する把手部３が取り付けられている。
【００１３】
図４(A) はロッカーユニット１０の平断面図、図４(B) はロッカーユニット１０の正面図、図５はロッカー扉２を外した状態のロッカーボックス１の正面図である。図５に示すように、ロッカーボックス１のヒンジ部１ａと反対側の框部１ｂには錠装置５０が埋設されており、ロッカー扉２から突出する後述の施錠フック２ａが錠装置５０に係合して施錠される。
【００１４】
図４(A) はロッカーユニット１０の平断面図、図４(B) はロッカーユニット１０の正面図、図５はロッカー扉２を外した状態のロッカーボックス１の正面図である。図４に示すように、ロッカーボックス１のヒンジ部１ａと反対側の框部１ｂには錠装置５０が埋設されており、ロッカー扉２から突出する施錠フック２ａが錠装置５０に係合して施錠される。
【００１５】
ロッカー扉２の自由端Ａには把手部３が取り付けられている。把手部３は錠装置５０の前面の一部を覆うような後述のカバー板３１ａを有し、ロッカー扉２が閉状態のとき、このカバー板３１ａが錠装置５０の前面部５０ｃの一部に対向する。そして、図５に示すように、錠装置５０には、施錠フック２ａがラッチ５０ａと係合できるように切り欠き部５０ｂが形成されているが、ロッカー扉２を閉じた状態ではこの切り欠き部５０ｂ（及びラッチ５０ａ）はカバー板３１ａによって覆い隠される。したがって、防犯性やデザイン性に優れている。
【００１６】
また、図５に示すように、ロッカーボックス１の框部１ｂには、錠装置５０に設けられた「光源」としてのＬＥＤランプ６が配設されている。この実施形態では、ＬＥＤランプ６は框部１ｂの前面部において、ロッカー扉２の閉状態において、把手部３に対向する位置に設けられており、ロッカーユニット１０が使用中の時に点灯される。
【００１７】
図１は図４(A) の二点差線の円で囲った部分の拡大平断面図、図２は把手部３の分解斜視図、図３(A) は把手部３をロッカーユニットの正面から見た正面、図３(B) は把持部３を上から見た平面図である。把手部３は、固定金具３Ａと、該固定金具３１に嵌合された光拡散部材３２とで構成されている。
【００１８】
固定金具３１は、台形形状のカバー板３１ａと、水平断面の形状がＬ字状の取っ手板３１ｂと、カバー板３１ａと略直角に形成されたフック取り付け部３１ｃと、ロッカー扉２に固定するための固定板３１ｄとを有しており、これらの各部は鉄板の曲げ加工により一体に形成されたいる。取っ手板３１ｂはカバー板３１ａと平行な押さえ部３１ｂ１を有し、この押さえ部３１ｂ１の端部は波形形状となっている。カバー板３１ａには、取っ手板３１ｂの近傍にネジ孔３１ａ１，３１ａ１が形成されるとともに、押さえ部３１ｂ１の先端の下部に透孔３１ａ２が形成されている。
【００１９】
光拡散部材３２はＡＢＳ樹脂等の僅かに透明な乳白色の合成樹脂で形成されており、拡散板３２ａと２つのボス部３２ｂ，３２ｂとを有している。拡散板３２ａには、取っ手板３１ｂの押さえ部３１ｂ１に整合する波形形状を有する窪み部３２ａ１が形成されている。また、拡散板３２ａには、窪み部３２ａ１を形成することにより、その外周にはエッジ部３２ａ２と、波形の中央の幅広部３２ａ３が形成されている。
【００２０】
そして、光拡散部材３２をカバー板３１ａと取っ手板３１ｂとの間に嵌合し、ボス部３２ｂ，３２ｂをカバー板３１ａのネジ孔３１ａ１，３１ａ１に合わせ、ネジＮ１，Ｎ１にをボス部３２ｂ，３２ｂにネジ込むことにより固定される。この把手部３の組み立て状態では、拡散板３２ａのエッジ部３２ａ２と幅広部３２ａ３は取っ手板３１ｂの周縁から露出されている。また、カバー板３１ａの透孔３１ａ２は幅広部３２ａ３の直下に位置する。なお、光導光部材３２のボス部３２ｂ，３２ｂは取っ手板３１ｂ側の端部に形成されており、拡散板３２ａとカバー板３１ａとの間には間隙があり、ロッカー扉２を開けるときに手先を入れることができるようになっている。また、施錠フック２ａはフック本体からＬ型に曲げられた固定板２ａ１を有し、この固定板２ａ１をフック取り付け部３１ｃにあてがって、ネジＮ２，Ｎ２によりネジ止めし、施錠ブック２ａが固定金具３１（把手部３）に固定されている。
【００２１】
図１に示すように、ロッカー扉２の内部にはステー２１が固着されており、固定金具３１の固定板３１ｄをロッカー扉２内に挿入して、ネジＮ３，Ｎ３によりステー２１にネジ止めすることで、把手部３がロッカー扉２に固定されている。この図１はロッカー扉２の閉状態であり、その自由端Ａが框部１ｂの内側に収納され、把手部３（カバー板３１ａ）は框部１ｂの前面部１ｂ１及びＬＥＤ光源６対向している。また、カバー板３１ａの透孔３１ａ２はＬＥＤランプ６に対応する位置に形成されている。したがって、ＬＥＤランプ６の光は透孔３１ａ２を介して把手部３の光拡散部材３２の拡散板３２ａに向けて照射される。これにより、拡散板３２ａはＬＥＤランプ６からの光を拡散する。この拡散光は、拡散板３２ａのエッジ部３２ａ１及び幅広部３２ａ２を光らせるが、これらの部位は露出しているので、利用者はその光を容易に視認することができる。
【図面の簡単な説明】
【００２２】
【図１】本発明の実施形態におけるロッカー扉の自由端側近傍の拡大平断面図である。
【図２】実施形態における把手部の分解斜視図である。
【図３】実施形態における把手部の正面図及び平面図である。
【図４】本発明実施形態のロッカーユニットの平断面図及び正面図である。
【図５】本発明の実施形態におけるロッカー扉を外した状態のロッカーボックスの正面図である。
【図６】本発明の実施形態に係る貸しロッカー装置の外観正面図である。
【符号の説明】
【００２３】
１０    ロッカーユニット
１      ロッカーボックス
１ａ    ヒンジ部
２      ロッカー扉
３      把手部
３１    固定金具
３２    光拡散部材
６      ＬＥＤランプ（光源）
【図１】
2009155933.tif 000003
【図２】
2009155933.tif 000004
【図３】
2009155933.tif 000005
【図４】
2009155933.tif 000006
【図５】
2009155933.tif 000007
【図６】
2009155933.tif 000008